(57)【特許請求の範囲】
【請求項１】
流体流量の計測結果を表示する表示部、および前記計測結果を外部出力するための信号ケーブルを備える計測ユニットと、該計測ユニットが装着される凹部を備えるメータ本体と、該メータ本体との間で前記計測ユニットを挟持して該計測ユニットを前記凹部に固定するための固定リングとを有する流量メータにおいて、
前記固定リングは、弾性変形可能な材料から構成され、かつ、リング端部同士が上下に重なるように形成された継ぎ目部と、該継ぎ目部の途中位置において前記各リング端部内面の凹部によって構成されたケーブル挿通孔と、前記各リング端部のうち上方に位置するリング端部の先端側において上下方向から止められるねじにより前記リング端部同士が締結されるねじ止め部とを備え、前記ねじを止めるときには前記各リング端部が前記ケーブル挿通孔内の前記信号ケーブルから該リング端部同士をリング周方向に引き寄せる方向の逃げ力を受けるように構成されていることを特徴とする流量メータ。
【請求項２】
請求項１において、前記各リング端部は、前記ねじを止めるときに前記ケーブル挿通孔内の前記信号ケーブルをその中心からリング周方向のうち前記逃げ力を受ける方にずれた側でそれぞれ押圧するように構成されていることを特徴とする流量メータ。
【請求項３】
請求項１において、前記各リング端部は、前記凹部内で張り出して前記ケーブル挿通孔内の前記信号ケーブルを押圧する部分を限定するための張り出し部を備えていることを特徴とする流量メータ。
【請求項４】
請求項３において、前記張り出し部は、前記ケーブル挿通孔内での前記信号ケーブルの滑りを防止する幅の狭い突条部として構成されていることを特徴とする流量メータ。
【請求項５】
請求項１ないし４のいずれかにおいて、前記ねじ止め部は、前記信号ケーブルの抜けを防止するために、前記ねじの軸部の一部が前記ケーブル挿通孔内に出現して前記ケーブル挿通孔内の前記信号ケーブルの外皮に触れるように構成されていることを特徴とする流量メータ。
【発明の詳細な説明】
【０００１】
【発明の属する技術分野】
本発明は、水道水などの流量を計測するための計測ユニットが固定リングを用いてメータ本体に固定されたタイプの流量メータに関するものである。さらに詳しくは、計測ユニットの信号ケーブルを固定リングに保持させるための構造に関するものである。
【０００２】
【従来の技術】
水道水などの流量を計測するための流量メータでは、メータ本体に形成されている凹部に対して、図６（ａ）に示す計測ユニット７を嵌め込んだように固定するのが一般的である。但し、計測ユニット７をメータ本体に直接、固定することができないので、計測ユニット７をメータ本体に固定する際には固定リング１００を用いることになる。この際には、固定リング１００の中央穴１０５に信号ケーブル７３の先端部を通した後、固定リング１００を計測ユニット７近くまで手繰り寄せて計測ユニット７に被せた状態とし、しかる後に固定リング１００をメータ本体に固定する。従って、固定リング１００は計測ユニット７をメータ本体との間に挟持する状態となる。一方、固定リング１００の中央穴１０５から引き出された信号ケーブル７３は、図６（ｂ）に示すように、ケーブル固定具１０１と２本のねじ１０２とによって固定リング１００の上面部１００ｇに固定する。
【０００３】
【発明が解決しようとする課題】
しかしながら、従来の固定リング１００を用いた場合には流量メータの取り付け時や部分交換時の作業効率が低いという問題点がある。すなわち、水道の使用量などを管理するにあたっては流量メータの設置箇所から１０ｍ以上も離れた場所にデータを送ることが多く、このような場合には１０ｍ以上もある信号ケーブル７３を用いことになる。従って、このような場合には信号ケーブル７３の先端を固定リング１００の中央穴１０５から通した後、さらに１０ｍ以上もの長い信号ケーブル７３を手間をかけて引き出す必要がある。また、従来の固定リング１００では、それに信号ケーブル７３を保持させるのに、別体のケーブル固定具１０１を２本のねじ１０２でわざわざ止める必要があるので、この作業にも手間がかかる。
【０００４】
ここに、本願発明者は、図７に示すように、固定リング１０３を弾性変形可能な材料から構成し、かつ、リング外周部分を貫通するケーブル挿通孔１０４と、ケーブル挿通孔１０４からリング下面部８ｈおよびリング上面部８ｇに至る第１および第２の継ぎ目部８１、８ｅとを形成することを提案するものである。ここで、ケーブル挿通孔１０４についてはたとえば略真円に形成する。このように構成すると、第１および第２の継ぎ目部８１、８ｅを拡げるように固定リング１０３を弾性変形させれば、信号ケーブル７３をリング下面部８ｈの側から第１の継ぎ目部８１を経由させてケーブル挿通孔１０４内まで通すことができるとともに、ケーブル挿通孔１０４の孔径は、信号ケーブル７３を保持した状態で信号ケーブル７３が抜けないように、信号ケーブル７３の外径よりも小さく形成されているので、別のケーブル固定具を用いなくても信号ケーブル７３をケーブル挿通孔１０４内に保持することができる。それ故、信号ケーブル７３の先端を固定リング１０３の中央孔１０５に通す必要がないなど、流量メータの取り付けや部分交換を効率よく行うことができる。しかし、このように構成した固定リング１０３において、固定リング１０３の端部８ｍ、８ｎ同士を締結するためのねじ８３で上方から締め込むと、ケーブル７３の断面およびケーブル挿通孔１０４が略真円であり、かつ、信号ケーブル７３の外径よりもケーブル挿通孔１０４の孔径の方が小さいため、端部８ｍ、８ｎは、ケーブル挿通孔１０４内の信号ケーブル７３からそれぞれ矢印Ｂ、Ｃで示すような逃げ力、すなわち端部８ｍ、８ｎがリング周方向に離間する方向の逃げ力を受けてしまう。このため、ねじ８３を締める際に、およびねじ８３を締めた後のいずれにおいても、第１の継ぎ目部８１が勝手に拡がってしまうという問題点がある。このような事象は、たとえば固定用リング１０３を覆う蓋を設けたときに蓋が締まらない原因となってしまう。また、固定リング１０３を導電性の材料から構成してシールド効果を発揮させようとしたとき、第１の継ぎ目部８１が拡がっていると対電波特性が低下する原因となってしまう。そこで、本発明の課題は、以上の問題を解決することにあり、ケーブル付き計測ユニットを固定リングを用いてメータ本体に固定したタイプの流量メータにおいて、その取り付け時や部分交換時の作業効率を高めるために固定リングにリング端部同士が上下に重なるような継ぎ目部を設け、この継ぎ目部を利用してケーブル挿通孔を設けた場合に、上下に重なるリング端部同士をねじで締結するときでも継ぎ目部が拡がることを確実に防止できる構成を提供することにある。
【０００５】
【課題を解決するための手段】
上記課題を解決するために、本発明では、流体流量の計測結果を表示する表示部、および前記計測結果を外部出力するための信号ケーブルを備える計測ユニットと、該計測ユニットが装着される凹部を備えるメータ本体と、該メータ本体との間で前記計測ユニットを挟持して該計測ユニットを前記凹部に固定するための固定リングとを有する流量メータにおいて、
前記固定リングは、弾性変形可能な材料から構成され、かつ、リング端部同士が上下に重なるように形成された継ぎ目部と、該継ぎ目部の途中位置において前記各リング端部内面の凹部によって構成されたケーブル挿通孔と、前記リング端部のうち上方に重なるリング端部の先端側において上下方向から止められるねじにより前記リング端部同士が締結されるねじ止め部とを備え、前記ねじを止めるときには前記各リング端部が前記ケーブル挿通孔内の前記信号ケーブルから該リング端部同士をリング周方向に引き寄せる方向の逃げ力を受けるように構成されていることを特徴とする。
【０００６】
本発明では、継ぎ目部を拡げるように固定リングを弾性変形させれば、固定リング下面部から継ぎ目部を経てケーブル挿通孔まで信号ケーブルを通すことができるので、信号ケーブルの根元部分を扱えばよい。従って、信号ケーブルを固定リングの中央穴に通す必要がないので、いくら長い信号ケーブルであってもケーブル挿通孔に通すのに手間がかからない。また、固定リング自身にケーブル挿通孔が形成されているので、別体のケーブル固定具を手間をかけてねじで止める必要がない。よって、流量メータの取り付け時や部分交換時の作業効率を高めることができる。さらに、信号ケーブルを固定リングの中央穴に通さないので、信号ケーブルを根元から折り曲げなくてもよいため、信号ケーブルに無理な力が加わらない。それ故、信号ケーブルの断線などを防止できるので、信頼性が向上するという利点もある。
【０００７】
また、リング端部同士を締結するためのねじを止めるときに各リング端部がケーブル挿通孔内の信号ケーブルから受ける逃げ力を積極的に利用してリング端部同士をリング周方向に引き寄せるようにしてある。従って、ケーブル挿通孔内に信号ケーブルを通した後、ねじを締める際、およびねじを締めた後のいずれにおいても、リング端部同士は離間せず、継ぎ目部が勝手に拡がってしまうことがない。それ故、固定用リングを覆う蓋を設けたときに蓋が締まらないとか、あるいは固定リングを導電性の材料から構成してシールド効果を発揮させようとしたときに対電波特性が低下していたなどの不具合がない。
【０００８】
本発明において、前記各リング端部は、たとえば前記ねじを止めるときに前記ケーブル挿通孔内の前記信号ケーブルをその中心からリング周方向のうち前記逃げ力を受ける方にずれた側でそれぞれ押圧するように構成される。
【０００９】
本発明において、前記各リング端部は、前記凹部内で張り出して前記ケーブル挿通孔内の前記信号ケーブルを押圧する部分を限定するための張り出し部を備えていることが好ましい。この場合に、前記張り出し部は、前記ケーブル挿通孔内での前記信号ケーブルの滑りを防止する幅の狭い突条部として構成することが好ましい。
【００１０】
本発明において、前記ねじ止め部は、前記信号ケーブルの抜けを防止するために、前記ねじの軸部の一部が前記ケーブル挿通孔内に出現して前記ケーブル挿通孔内の前記信号ケーブルの外皮に触れるように構成されていることが好ましい。
【００１１】
【発明の実施の形態】
以下に図面を参照して本発明の実施の形態を説明する。
【００１２】
（流量メータの全体構成）
図１は、本発明を適用した流量メータを示す縦断面図である。
【００１３】
この図に示すように、流量メータ１の本体１ａは、下ケース２１と上ケース２２とからなるメータケース２と、下ケース２１の内部に固定された計量室４と、メータケース２内において計量室４の上面側に位置する受圧ケース６と、計量室４内において流量に応じて回転する羽根車５と、羽根車５の上流側位置で流体に渦流を発生させて羽根車５に加わるスラスト力を低減させる整流器３１を支持する整流器ケース３２とから概ね構成されている。
【００１４】
下ケース２１は流入口２１ａおよび流出口２１ｂを備え、流体の流路が区画形成されている。下ケース２１の内部には、流路を形成するための仕切り部２１ｃがせり出し、そこに整流器ケース３２が係合している。整流器ケース３２は上から計量室４によって押さえられている。計量室４における整流器ケース３２を押さえた部分は円筒状になっており、その内側に羽根車５が配置されている。羽根車５は上下を支持軸５２によって回転自在に支持された回転軸５１に取り付けられている。計量室４の上部４１はカップ状になっており、凹部４１ａを上に向けた状態にある。この凹部４１ａの内側には、計量室４の上端部４１ｂにフランジ６ａが載るようにして、カップ状の受圧ケース６が配置されている。受圧ケース６の下面には一方の支持軸５２が取り付けられている。羽根車５を備えた回転軸５１の一方の端部５１ａは計量室４の上側に突出して受圧ケース６の下面まで延びている。この回転軸５１の端部５１ａには、マグネット５３が取り付けられている。
【００１５】
メータ本体１ａの上面部において、受圧ケース６は有底筒状を呈していることからそこには凹部６ｂ（計測ユニット装着用の凹部）が構成され、この凹部６ｂには、受圧ケース６を介してマグネット５３に対向するように計測ユニット７が嵌め込まれている。また、凹部６ｂ内に嵌め込まれた計測ユニット７は、後述するように、固定用リング８を用いてそこに固定されている。
【００１６】
（計測ユニットの固定構造）
図２（ａ）において、計測ユニット７は全体として円柱状をしており、下側は羽根車５の回転をＭＲ素子（図示せず。）によって磁気的検出するための検出部７ａとなっている。計測ユニット７の上端面７ｄには、検出したデータを表示するための表示部７４が形成され、上端面７ｄからはデータを送信するための断面円形の信号ケーブル７３が引き出されている。また、計測ユニット７の外周７ｂには環状に張り出したフランジ部７ｃが形成されている。
【００１７】
固定リング８は、全体として環状に形成されており、それを計測ユニット７に被せたときに計測ユニット７のフランジ部７ｃよりも上側部分を覆うように構成されている。また、固定リング８の外周側面には環状に張り出したフランジ部８ａが形成されている。従って、図１に示すように、下ケース２１の内側に受圧ケース６などを装着した後、それに上ケース２２を被せ、ボルト２３とナット２４で上ケース２２と下ケース２１とを固定する際に、固定リング８を被せた計測ユニット７を受圧ケース６の凹部６ｂに嵌め込んでおくと、固定リング８のフランジ部８ａは、上ケース２２と受圧ケース６との間に挟持される。また、計測ユニット７のフランジ部７ｃは、固定リング８と受圧ケース６との間に挟持される。なお、計測ユニット７には、フランジ部７ｃの上下双方にガスケット７１をそれぞれ装着しておく。メータ本体１ａに計測ユニット７を固定した後は、固定リング８に蓋９が取り付けられる。
【００１８】
（信号ケーブルの保持構造）
このようにして、メータ本体１ａに計測ユニット７を固定した状態で計測ユニット７の側からは信号ケーブル７３を引き出すが、その際に信号ケーブル７３の根元部分を固定しておくことを目的に、本発明では、図２（ａ）に示すように、固定リング８自身にケーブル挿通孔８２を形成し、このケーブル挿通孔８２内で信号ケーブル７３を保持するようになっている。
【００１９】
すなわち、固定リング８の上面８ｇには、上方に向けて突部８ｉが一体成形され、この突部８ｉを半径方向に貫通するケーブル挿通孔８２が形成されている。固定リング８には、ケーブル挿通孔８２からリング下面部８ｈに届くように第１の継ぎ目部８１が形成され、ケーブル挿通孔８２から突部８ｉの側面部８ｊ（リング上面部８ｇ）に届くように第２の継ぎ目部８ｅが形成されている。
【００２０】
固定リング８には、第２の継ぎ目部８ｅによって分割された突部８ｉの上側部分にはそれを上下方向に貫通するやや大きめの孔８ｂが形成され、固定リング８の方に残された突部８ｉの下側部分の方には、図２（ｂ）に示すように、ねじ孔８ｃが形成されている。
【００２１】
このようにして、固定リング８には、端部８ｍ、８ｎ（リング端部）同士が上下に重なるように形成された継ぎ目部（第１および第２の継ぎ目部８１、８ｅ）と、該継ぎ目部の途中位置において各端部８ｍ、８ｎの内面の凹部８２ａ、８２ｂによって構成されたケーブル挿通孔８２と、各端部８ｍ、８ｎのうち上方に位置する端部８ｍの先端側８０ｍにおいてこれらリング端部同士を締結するためのねじ止め部８０とが構成されている。
【００２２】
ここで、固定リング８は、ＡＢＳ樹脂などの弾性をもった材料から形成されているため、図２（ｂ）において矢印Ａに示すように、第１および第２の継ぎ目部８１、８ｅを周方向に拡げるように、固定リング８を弾性変形させることができ、このようにすると、固定リング８の端部８ｍ、８ｎ同士は完全に離間することになる。
【００２３】
また、ケーブル挿通孔８２は、信号ケーブル７３の外径寸法よりもやや小さめの内径寸法をもつように形成されている。このため、以下のようにして、ケーブル挿通孔８２に信号ケーブル７３を通せば、信号ケーブル７３は固定リング８の弾性力によってそこに保持されることになる。すなわち、図２（ｂ）に示すように、計測ユニット７の上方位置で、矢印Ａに示すように、第１および第２の継ぎ目部８１、８ｅを周方向に拡げるように、固定リング８を弾性変形させ、この状態で、固定リング８を計測ユニット７に被せる。このとき、信号ケーブル７３は固定リング８の下方位置にあるが、第１の継ぎ目部８１が拡げられているので、信号ケーブル７３をリング下面部８ｈから第１の継ぎ目部８１を経由させてケーブル挿通孔８２にまで通すことができる。また、固定リング８を拡げていた力を緩めれば、固定リング８は、それ自身の弾性復帰力により第１および第２の継ぎ目部８１、８ｅが閉じる。従って、図３に示すように、突部８ｉの上側部分と突部８ｉの下側部分とが重なるので、孔８ｂからねじ８３をねじ孔８ｃに止めることができ、このように突部８ｉの上側部分と突部８ｉの下側部分とを完全に固定すると、ケーブル挿通孔８２が狭まる。それ故、信号ケーブル７３は、それを被覆する外皮を介してケーブル挿通孔８２内に完全に固定される。
【００２４】
（固定リングへの蓋の取り付け構造）
図３に示すように、固定リング８にはカップ状の蓋９を被せるようになっており、この蓋９の円筒部９ｅには、固定リング８から上方に突出する係合部８ｄでの着脱を可能とする係合部９ａと、蓋９を閉じたときに突部８ｉと干渉することを防ぐための切り欠き９ｂと、開閉動作を行うときの取っ手部分９ｃとが形成されている。係合部９ａは、固定リング８の係合部８ｄが入り込む切り欠き９ｇと、円筒部９ｅの外周面において切り欠き９ｇの両側に沿うように２列に形成された肉厚部分と、この肉厚部分の下端部において切り欠き９ｇに向かって円錐状に突出する係合突部９ｄとから構成されている。これに対して、固定リング８の係合部８ｄには、その両側面部において円錐状に凹む凹部８ｆがそれぞれ形成されている。これらの凹部８ｆに対して、蓋９の係合部９ａに形成されている係合突部９ｄがそれぞれ嵌まることによって、蓋９は固定リング８に取り付けられるとともに、係合突部９ｄを中心に回転して固定リング８の上面を覆った状態およびその上方を開放した状態に切り換わることができる。
【００２５】
（ケーブル挿通孔の構造）
このようにしてケーブル挿通孔８２内に信号ケーブル７３を固定するにあたって、ケーブル挿通孔８２の構造によっては、ねじ８３を締める際に、またはねじ８３を締めた後に端部８ｍ、８ｎが周方向に離間し、第１の継ぎ目部８１が勝手に拡がってしまうことがある。そこで、本発明では、ケーブル挿通孔８２を以下のように構成してある。
【００２６】
図４（ａ）は、本発明を適用した固定リングに形成したケーブル挿通孔を示す拡大図、図４（ｂ）は、ケーブル挿通孔内の信号ケーブルを押圧する様子を示す説明図である。
【００２７】
図４（ａ）に示すように、ケーブル挿通孔８２は、固定リング８の端部８ｍ、８ｎの内面に形成されている凹部８２ａ、８２ｂによって構成されている。これらの凹部８２ａ、８２ｂのうち、上方に位置する端部８ｍの側に形成されている凹部８２ａは、点Ｅを中心とする円弧部８２１ａと、この円弧部８２１ａから端部８ｍの先端側８０ｍに位置する押圧部８２２ａとから構成されている。また、下方に位置する端部８ｎの側に形成されている凹部８２ｂは、点Ｄを中心とする円弧部８２１ｂと、この円弧部８２１ｂから端部８ｎの先端側８０ｎに位置する押圧部８２２ｂとから構成されている。ここで、円弧部８２１ａ、８２１ｂは同一の半径Ｒをもつが、点Ｅと点Ｄとはリング周方向にずれているため、押圧部８２２ａは、端部８ｍの先端側８０ｍにおいてケーブル挿通孔８２内に入り込んだ状態にある。また、押圧部８２２ｂは、端部８ｎの先端側８０ｎにおいてケーブル挿通孔８２内に入り込んだ状態にある。なお、押圧部８２２ａ、８２２ｂは、凹部８２ａ、８２ｂのうち、ケーブル挿通孔８２内の信号ケーブル７３を押圧するときに最も大きな押圧力を発揮する部分を意味する。
【００２８】
このように構成した固定リング８において、図４（ｂ）に示すように、ケーブル挿通孔８２に信号ケーブル７３を通した状態で、ねじ８３を孔８ｂからねじ孔８ｃに締め込むと、端部８ｍ、８ｎ同士が締結される。また、ケーブル挿通孔８２が狭まって信号ケーブル７３を完全に固定する。
【００２９】
このとき、押圧部８２２ａは、ケーブル挿通孔８２内の信号ケーブル７３の外周面のうち、端部８ｍの先端側８０ｍに位置する部分を押圧する。従って、端部８ｍは信号ケーブル７３から矢印Ｆで示す方向成分を有する逃げ力を受ける。また、押圧部８２２ｂは、ケーブル挿通孔８２内の信号ケーブル７３の外周面のうち、端部８ｎの先端側８０ｎに位置する部分を押圧する。従って、端部８ｎは信号ケーブル７３から矢印Ｇで示す方向成分を有する逃げ力を受ける。すなわち、ねじ８３を締め込むときの力（矢印Ｈで示す。）は、端部８ｍ、８ｎ同士をリング周方向に引き寄せるような力（逃げ力Ｆ、Ｇ）として端部８ｍ、８ｎに作用する。それ故、ケーブル挿通孔８２内に信号ケーブル７３を通した後、ねじ８３を締める際、およびねじ８３を締めた後のいずれにおいても、端部８ｍ、８ｎは勝手に離間しない。
【００３０】
（本形態の効果）
このように、本発明を適用した流量メータ１では、計測ユニット７を固定するための固定リング８を弾性変形可能な樹脂材料から構成するとともに、固定リング８にはケーブル挿通孔８２からリング下面部８ｈにまで届く第１の継ぎ目部８１を形成してある。このため、第１の継ぎ目部８１を拡げるように固定リング８を弾性変形させれば、固定リング下面部８ｈから第１の継ぎ目部８１を経てケーブル挿通孔８２まで信号ケーブル７３を通すことができるので、信号ケーブル７３の根元部分を扱えばよい。従って、信号ケーブル７３を固定リング８の中央穴８５に通す必要がないので、いくら長い信号ケーブル７３であってもケーブル挿通孔８２に通すのに手間がかからない。また、固定リング８自身にケーブル挿通孔８２が形成されているので、別体のケーブル固定具を手間をかけてねじで止める必要がない。よって、流量メータ１の取り付け時や部分交換時の作業効率を高めることができる。さらに、信号ケーブル７３を固定リング８の中央穴８５に通さないので、信号ケーブル７３に無理な力が加わらない。それ故、信号ケーブル７３の断線などを防止できるので、信頼性が向上するという利点もある。
【００３１】
また、ケーブル挿通孔８２から固定リング下面部８ｈに至る第１の継ぎ目部８１と、ケーブル挿通孔８２から固定リング上面部８ｇに至る第２の継ぎ目部８ｅとが構成され、これらの継ぎ目部８１、８ｅにおいて固定リング８の端部８ｍ、８ｎ同士が完全に離間するように構成されている。このため、無理に大きな力を加えなくても固定リング８を弾性変形させることができるので、第１の継ぎ目部８１を簡単に拡げることができる。
【００３２】
さらに、固定リング８の端部８ｍ、８ｎ同士を締結するためのねじ８３を締め込むときに各端部８ｍ、８ｎがケーブル挿通孔８２内の信号ケーブル７３から受ける逃げ力Ｆ、Ｇを積極的に利用して端部８ｍ、８ｎ同士をリング周方向に引き寄せるようにしてある。従って、ケーブル挿通孔８内に信号ケーブル７３を通した後、ねじ８３を締める際、およびねじ８３を締めた後のいずれにおいても、端部８ｍ、８ｎ同士は離間せず、第１の継ぎ目部８１が勝手に拡がってしまうことがない。それ故、固定用リング８を覆う蓋９を締めようとしたときに、突部８ｉが切り欠き９ｂに入りきらず蓋９を締めることができないなどの不具合が発生しない。また、固定リング８を導電性の材料から構成してシールド効果を発揮させる場合があるが、このような場合でも、第１の継ぎ目部８１が拡がることがないので、対電波特性が低下していたなどの不具合も発生しない。
【００３３】
［他の実施の形態］
なお、上記形態については、凹部８２ａ、８２ｂに形成した円弧部８２１ａ、８２１ｂの中心位置をリング周方向にずらすことにより、ケーブル挿通孔８２の中心からずれた位置に押圧部８２２ａ、８２２ｂを形成した構造であったが、図５に示すように、凹部８２ａ、８２ｂ内で張り出してケーブル挿通孔８２内の信号ケーブル７３を押圧する部分を限定するための張出部８２ｆ、８２ｃを形成し、そこで信号ケーブル７３の外周面の所定位置を押圧してもよい。この場合にも、ケーブル挿通孔８２に信号ケーブル７３を通した状態でねじ８３を孔８ｂからねじ孔８ｃに締め込むと、張り出し部８２ｆは、ケーブル挿通孔８２内の信号ケーブル７３の外周面のうち、端部８ｍの先端側８０ｍに位置する部分を押圧する。また、張り出し部８２ｃは、ケーブル挿通孔８２内の信号ケーブル７３の外周面のうち、端部８ｎの先端側８０ｎに位置する部分を押圧する。従って、端部８ｍ、８ｎは、端部８ｍ、８ｎ同士をリング周方向に引き寄せる方向の逃げ力Ｆ、Ｇをそれぞれ受けるので、第１の継ぎ目部８１は勝手に拡がらない。
【００３４】
このような張り出し部８２ｆ、８２ｃについては平坦面で構成してもよいが、張り出し部８２ｆ、８２ｃを凹部８２ａ、８２ｂの周方向に沿って延びる幅の狭い突条部として構成すると、張り出し部８２ｆ、８２ｃが信号ケーブル７３の外皮に浅く食い込む状態になる。従って、ケーブル挿通孔８２内の信号ケーブル７３がその長さ方向に滑りにくいという利点がある。
【００３５】
また、上記形態において、ねじ８３の軸部はケーブル挿通孔８２に出現しない構造になっているが、ねじ８３の軸部の一部がケーブル挿通孔８２内に出現してケーブル挿通孔８２内の信号ケーブル７３の外皮に触れるように構成すると、ねじ山と外皮との摩擦によって、ケーブル挿通孔８２内の信号ケーブル７３がその長さ方向に滑りにくいという利点がある。
【００３６】
【発明の効果】
以上に説明したように、本発明に係る流量メータでは、継ぎ目部を拡げるように固定リングを弾性変形させれば、固定リング下面部から継ぎ目部を経てケーブル挿通孔まで信号ケーブルを通すことができ、かつ、リング端部同士をねじで締結したときにはリング端部同士をリング周方向に引き寄せるような逃げ力がリング端部に加わるように構成してあることに特徴を有する。従って、本発明によれば、いくら長い信号ケーブルであってもケーブル挿通孔に通すのに手間がかからず、また、固定リング自身にケーブル挿通孔が形成されているので、別体のケーブル固定具を手間をかけてねじで止める必要がない。よって、流量メータの取り付け時や部分交換時の作業効率を高めることができる。また、ねじを止めるときに各リング端部が受ける逃げ力を積極的に利用してリング端部同士をリング周方向に引き寄せるようにしてある。従って、ケーブル挿通孔内に信号ケーブルを通した後、ねじを締める際、およびねじを締めた後のいずれにおいても、リング端部同士は離間せず、継ぎ目部が勝手に拡がってしまうことがない。
【図面の簡単な説明】
【図１】本発明を適用した流量メータを示す縦断面図である。
【図２】（ａ）は、固定リングを計測ユニットに被せる前の様子を示す説明図、（ｂ）は、固定リングを計測ユニットに被せるために固定リングを弾性変形させた様子を示す説明図である。
【図３】固定リングに蓋を取り付ける様子を示す説明図である。
【図４】（ａ）は、本発明を適用した固定リングに形成したケーブル挿通孔を示す拡大図、（ｂ）は、ケーブル挿通孔内の信号ケーブルを押圧する様子を示す説明図である。
【図５】本発明の別の形態に係る固定リングに形成したケーブル挿通孔を示す拡大図である。
【図６】（ａ）は、従来の固定リングを計測ユニットに被せる前の様子を示す説明図、（ｂ）は、従来の固定リングを計測ユニットに被せた後の様子を示す説明図である。
【図７】本発明の参考例に係る固定リングに形成したケーブル挿通孔を示す拡大図である。
【符号の説明】
１  流量メータ
１ａ  メータ本体
２  メータケース
７  計測ユニット
７３  信号ケーブル
７４  表示部
８  固定リング
８ｍ、８ｎ  固定リングの端部（リング端部）
８０  ねじ止め部
８０ｍ、８０ｎ  リング端部の先端側
８１  第１の継ぎ目部
８２  ケーブル挿通孔
８２ａ、８２ｂ  凹部
８２ｆ、８２ｃ  張出部
８２１ａ、８２１ｂ  円弧部
８２２ａ、８２２ｂ  押圧部
８３  ねじ
８ｅ  第２の継ぎ目部
Ｆ、Ｇ  ねじを締め込んだときにリング端部に作用する逃げ力
【図１】
0003709019.tif 000002
【図２】
0003709019.tif 000003
【図３】
0003709019.tif 000004
【図４】
0003709019.tif 000005
【図５】
0003709019.tif 000006
【図６】
0003709019.tif 000007
【図７】
0003709019.tif 000008